(57)【要約】      （修正有）【課題】パワープレートに腕立て伏せの補助装置を備えた多機能運動マシーンを提供する。【解決手段】マシーン本体１だけではなく、マシーンの上端に本体１の固定穴を設け、固定穴に取り外し可能な腕立て伏せのフレーム２を設置する。マシーン本体１に設置された腕立て伏せのフレーム２を固定する穴を設け、固定穴は本体１のボーダーに設置されている。【選択図】図１
0003226671.tif 000002
【実用新案登録請求の範囲】
【請求項１】
マシーン本体（１）だけではなく、マシーンの上端に本体（１）からの取り外し可能な腕立て伏せのフレーム（２）が設置されることも特徴とする多機能運動マシーン。
【請求項２】
前記マシーン本体（１）に設置された腕立て伏せのフレーム（２）を固定する穴（５）を設けたことを特徴とする請求項１に記載の多機能運動マシーン。
【請求項３】
前記固定穴（５）は本体（１）のボーダーに設置されていることを特徴とする請求項２に記載の多機能運動マシーン。
【請求項４】
前記固定穴（５）に差し込み、腕立て伏せの本体（１）を固定することができるサポートのロッド（２３） とサポートのブリック（２２） はグリップ（２１）の両端に設置されていることを特徴とする請求項２又は３に記載の多機能運動マシーン。
【請求項５】
前記腕立て伏せのフレーム（２）は二つの部分に分けられ、
前記一つの腕立て伏せのフレーム（２）は一組（ 二つ）の前記固定穴（５）に対応し
前記固定穴（５）は二組から八組まであり、各組ごとに対応することを特徴とする請求項４に記載の多機能運動マシーン。
【請求項６】
二つのサポートのロッド（２３） とサポートのブリック（２２） が設置されているグリップ（２１） が、一組の穴（５）に対応していることを特徴とする請求項５に記載の多機能運動マシーン。
【請求項７】
前記二つの固定穴（５）は一組で、一つ一つのグリップ（２１）には二つのサポートのロッド（２３）とサポートのブリック（２２）が設置されて一組の穴（５）に対応していることを特徴とする請求項６に記載の多機能運動マシーン。
【請求項８】
前記固定穴（５）は前記マシーン本体（１）の中心にある短軸を界線、対称軸にしてその上端に分布し、対称に設置され、短軸の片側にある前記固定穴（５）は長軸によって基準穴とそれに対応する若干の穴に分けられ、一つの基準穴と若干の穴の中の一つを選んでそれに対応し、二つの穴を連結するセンターラインは短軸と平行、或いは斜めであり、一つのグリップ（２１）にある二つのサポートのロッド（２３）とサポートのブリック（２２）一組の穴に差し込むことができることを特徴とする請求項４に記載の多機能運動マシーン。
【請求項９】
前記短軸の片側に少なくとも一組の基準穴や前記基準穴と対応する別の穴の隣に、もう一つの穴が設けられており、前記基準穴と前記二つの穴の間での距離は同じで、隣の穴と連結するセンターラインは短軸と斜めにすることを特徴とする請求項８に記載の多機能運動マシーン。
【請求項１０】
それぞれの前記固定穴（５）のポートに設置さているスナップカバー（７）とサポートのロッド（２３）や、サポートのブリック（２２）は交替に前記固定穴（５）に差し込むことができることを特徴とする請求項４に記載の多機能運動マシーン。
【請求項１１】
前記スナップカバー（７）がヒンジシャフト（８）によって前記マシーン本体（１）と繋がり、回ることができ、外力で対応する前記固定穴（５） に嵌合可能であり、前記本体（１）との間でも元の位置にリセットできる装置（９）も設置されていることを特徴とする請求項１０に記載の多機能運動マシーン。
【請求項１２】
前記ヒンジシャフト（８）に設置されているスプリング（９１）を含むリセットメカニズム（９） 、トーションスプリング（９１）の一端の鋼線（９２）がスナップカバー（７）の内側に寄って、残る一端の鋼線（９２）はマシーンの本体（１）に寄ることを特徴とする請求項１１に記載の多機能運動マシーン。
【請求項１３】
前記スナップカバー（７）の両端に設置されたヒンジシャフト（８）は前記マシーン本体（１）にある前記固定穴（５）に挿して、内側に埋設するホールに固定されることを特徴とする請求項１２に記載の多機能運動マシーン。
【請求項１４】
それぞれ前記固定穴（５）のポートには、閉塞（６）が設置されており、前記閉塞（６）はサポートのロッド（２３）とサポートのブリック（２２）と交替に前記固定穴（５）に差し込むことができることを特徴とする請求項４に記載の多機能運動マシーン。
【請求項１５】
U 型の腕立て伏せのフレーム（２）のサポートのブリック（２２）に穴（５）と同じくらい大きさのワッシャー（５）が設置されており、前記固定穴（５）の内側には段階式な配列で、サポートのブリック（２２）が前記固定穴（５）に差し込む時、制限保持リング（４）が作用するボスが装着されていることを特徴とする請求項４に記載の多機能運動マシーン。
【請求項１６】
サポートのロッド（２３） にはワッシャー（５）が設置されており、前記固定穴（５）の内側は段階式な配列で、ロッドが前記固定穴（５）に差し込む時、制限保持リング（４）が作用できるボスも装着することを特徴とする請求項４に記載の多機能運動マシーン。
【請求項１７】
前記グリップ（２１）の下端には数多くの凹み部（３）が密集していることを特徴とする請求項４に記載の多機能運動マシーン。
【考案の詳細な説明】
【技術分野】
【０００１】
本考案は、フィットネス機器の技術分野に属し、パワープレート、特に腕立て伏せの補助装置を備えた多機能運動マシーンに関連します。
【背景技術】
【０００２】
パワープレートは近年普及してきたダイエットの器具の一種であり、スポーツ科学の平衡側動と振幅重ね合せの原則で、全身の脂肪を運動し、カロリーを消費させ、身体の余分な脂肪を取り除くことができ、立ったり、パワープレートに座ったりするだけで、ダイエット効果を達成することができます。
【考案の概要】
【０００３】
本考案は、パワープレートの本体を含め、本体の上端面には腕立て伏せ用のステントが設けられ、腕立て伏せ用のステントは本体から分離や接続することが簡易にでき、多機能の運動マシーンを提供します。
【考案が解決しようとする課題】
【０００４】
しかし、既存のパワープレートは使いやすいが、機能が単一で、ユーザーが他のトレーニングを必要とする場合、別のスポーツ機器が必要になります。
【課題を解決するための手段】
【０００５】
本考案の目的は、既存のパワープレートの上に述べた問題点に対して、パワープレートの上に腕立て伏せすることができる多機能パワープレートを提案することである。
【０００６】
本考案の目的は、以下の技術スキームによって実現することができる：
本多機能パワープレートは、パワープレートの本体を含め、本体の上端面には腕立て伏せ用のステントが設けられ、腕立て伏せ用のステントは本体から分解でき、本体と接続することができます。
【０００７】
上記の多機能パワープレートでは、本体に固定穴が設けられており、腕立て伏せ用のステントは固定穴およびプラグとマッチングできます。
【０００８】
上記の多機能パワープレートでは、本体にハウジングメカニズムが設けられており、ハウジングメカニズムは本体の端部に設けられたハウジング用の固定穴であり、腕立て伏せ用のステントはハウジングの固定穴およびプラグとマッチングできます。
【０００９】
上記の多機能パワープレートでは、腕立て伏せ用のステントはグリップを含み、そのグリップの両端は固定穴に挿入可能な端部を形成し、および/またはそのグリップには、固定穴に挿入可能なロッドが固定的に設けられます。
【００１０】
上記の多機能パワープレートでは、腕立て伏せ用のステントは２つのインターバル設定が設けられ、各腕立て伏せ用のステントには一組の固定穴に対応でき、前記固定穴はグループ２~８があり、その固定穴は間隔をあけてグループに分けて配置されます。
【００１１】
上記の多機能パワープレートでは、各グリップは２本のロッドに対応し、各グリップのポールは同じグループの固定穴と１つずつ接続することができ、および/または各グリップの２つの端の足は同じグループの固定穴と１つずつ接続することができます。
【００１２】
上記の多機能パワープレートでは、各グループの固定穴数は２つで、各グリップの二つの端の足、あるいは２本のポールは一組の固定穴に対応することができます。
【００１３】
上記の多機能パワープレートでは、各固定穴は本体の上端に本体の中心軸を中心として配置され、固定穴は本体の中心軸に対して対称的に配置され、本体の短軸側の固定穴は本体の主軸上に配置される本体の長軸の他方の側に配置された複数の基準固定穴及び複数の選択固定穴と、少なくとも１つの基準固定穴と対応する基準固定穴及び選択固定穴の中心線に対応して少なくとも１つの基準固定穴が設けられているワイヤは本体の中心軸に対して平行に、または傾斜して配置され、各グリップまたは２つのロッドの２つの端部は基準固定穴およびレセプタクルに挿入することができます。
【００１４】
上記の多機能パワープレートでは、本体の中心軸側に位置する少なくとも１組の対応する設定基準固定穴と選択固定穴の隣にもう一つの挿入固定穴があり、基準固定穴とセレクト固定穴との間の距離は、基準固定穴と選択された挿入固定穴との間の距離に等しく、そして、基準固定穴の中心線及び隣接する選択固定穴は、本体の中心軸に対して傾斜して配置されています。
【００１５】
上記の多機能パワープレートでは、前記固定穴のポートに対応するバックルカバーが設けられ、そのバックルカバーとポール及び/又は端の足に対応するレセプタクルに交互に挿入することができます。
【００１６】
上記の多機能パワープレートでは、バックルカバーは、ヒンジ軸を介して本体に回転可能に接続され、外力によって対応するソケットに挿入可能であり、リセットメカニズムはバック
ルカバーと本体との間に配置されます。
【００１７】
上記の多機能パワープレートでは、トーションスプリングを含む、トーションスプリングはヒンジ軸にセットされ、トーションスプリングの一端には鋼線がバックルの内側に押し付けられ、トーションスプリングの他端が本体に当接しています。
【００１８】
上記の多機能パワープレートでは、バックルカバーの一端にヒンジ軸が設けられ、ヒンジ軸の両端が本体のソケットの内壁の穴に固定されています。
【００１９】
上記の多機能パワープレートでは、ジャッキのポートに閉塞が生じ、閉塞とポール及び/又は端の足が対応するレセプタクルに交互に挿入されます。上記の多機能パワープレートでは、腕立て伏せ用のステントはU 字形であり、U 字形の腕立て伏せ用のステントにプラグの両端のジャッキと同じ大きさの制限保持リングが設けられている場合、ジャッキの内壁は段差があり、腕立て伏せ用のステントの端部が対応する固定穴に挿入されると、制限保持リングがリミットボスに影響を与えます。
【００２０】
上記の多機能パワープレートでは、ポールには制限保持リングが設けられ、ジャッキの内壁には段差が設けられ、リミットボスが設けられ、ポールが固定穴に挿入されると、制限保持リングがリミットボスに影響を与えます。
【００２１】
上記の多機能パワープレートでは、グリップの下端面には、複数の連続した凹部が形成されています。
【００２２】
既存の技術と比べで、本考案にかかる多機能パワープレートの利点は、
【００２３】
腕立て伏せ用のステントがパワープレートに取り付けられて、使用者は腕立て伏せをすることができ、使用されていない時は、腕立て伏せ用のステントを取り外してプレースメント
のメカニズムに配置することができ、そして、バックルカバーまたは固定穴をブロックすることに介して、パワープレートの通常の使用に影響しない、多機能のマシンである。
【００２４】
パワープレートを使用して固定穴を差し込む時は、腕立て伏せ用のステントを適切な位置の固定穴に押し込むだけで、腕立て伏せ用のステントが自動的にパワープレートを固定穴に押し込み、腕立て伏せ用のステントが固定穴を引き出すときは、カバーは自動的に固定穴をブロックすることができ、腕立て伏せ用のステントは取り外しも使用操作も簡単です。
【００２５】
パワープレートがより実用的になるように、腕立て伏せ用のステントの方向を、必要に応じて調整することができます。
【図面の簡単な説明】
【００２６】
【図１】は本考案の実施例１で、腕立て伏せ用のステントが使用中の構造のダイアグラムです。
【図２】は本実用新案の実施例一で、腕立て伏せ用のステントが使用していない時の構造のダイアグラムです。
【図３】は本実用新案の実施例一で、固定穴、バックルおよびリセットメカニズムの構造のダイアグラムです。
【図４】は本実用新案の実施例一で、腕立て伏せ用のステントが使用していない時の側面図です。
【図５】は本実用新案の実施例一で、腕立て伏せ用のステントが見えない時の俯瞰図です。
【図６】は本実用新案の実施例二の構造のダイアグラムです。
【符号の説明】
【００２７】
１    本体
２    腕立て伏せ用のステント
２１  グリップ
２２  サポートブリック
２３  サポートロッド
３    凹部
４    制限保持リング
５    固定穴
６    閉塞
７    バックルカバー
８    ヒンジシャフト
９    リセットメカニズム
９１  トーションスプリング
９２  鋼線
【００２８】
以下は、本考案の具体的な実施例であり、添付の図面を参照して考案の技術について詳細な説明ができる。尚、本考案はこれらの実施例に限定はされていないことを注意的に記載しておく。
【実施例１】
【００２９】
図１、図２、図４ に示すように、本考案にかかる多機能パワープレートは、パワープレートの本体１と、本体１の上端の腕立て伏せ用のフレーム２が設けられ、腕立て伏せ用のフレーム２と本体１は分解可能に接続できます。
【００３０】
本体１には固定穴５が設けられており、腕立て伏せ用のフレーム２は固定穴５とマッチングできます。本体１にはプレースメントメカニズムが設定されており、プレースメントメカニズムは本体１の端部に設けられた固定穴５であり、腕立て伏せ用のフレーム２はプレースメントメカニズムの固定穴５に嵌合させることができる。
【００３１】
腕立て伏せ用のフレーム２の挿入安定性を高めるために、プレースメントメカニズムと腕立て伏せ用のフレーム２の下端部に磁石ホルダーを設け、必要の場合は取り外して使用できます。腕立て伏せ用のフレーム２はグリップ２１を含む、グリップ２１の両端の形成は固定穴５の端の足２２及び/又はグリップバー２１には、固定穴５に挿入可能なプランジャが固着されています。
【００３２】
腕立て伏せ用のフレーム２はU 字型であり、U 字型の腕立て伏せ用のフレーム２は、プラグの二つのサポートブリック２２に固定穴５と同じ大きさの制限保持リング４が設けられており、固定穴５の内壁には段差が形成されており、対応する固定穴５に腕立て伏せ用のフレーム２ のサポートブリック２２を挿入すると、制限保持リング４がリミットボスに影響を与え、サポートブリック２２が深く挿入されないように防ぎます。
【００３３】
インストール及び使用時に、固定穴５に配置された腕立て伏せ用のフレーム２を取り外し、要求の通りに腕立て伏せ用のフレーム２を対応する固定穴５に挿入するだけでよい、腕立て伏せ用のフレーム２を使用しない時は、プレースメントメカニズムに戻せばよい、パワープレートの使用には影響しません。これにより、パワープレートは多機能化で、実用性が強い、より広い範囲に適用されるようにします。
【００３４】
図３に示すように、固定穴５の各ポートにはバックルカバー７が設定されており、それぞれが対応する固定穴５にバックルカバー７およびロッド２３によって交互に挿入されるバックルカバー７および/ ヒンジシャフト８は本体１に回動自在に連結され、外力により固定穴５に挿入可能であり、バックルカバー７と本体１との間にリセットメカニズム９が設けられています。
【００３５】
リセットメカニズム９はトーションスプリング９１と、ヒンジシャフト８にはトーションスプリング９１の一端、鋼線９２がバックルカバー７の内側に当接し、トーションスプリング９１の他端鋼線９２がボディ１に当接し、ヒンジシャフト８がバックルカバー７の一端に設けられるヒンジシャフト８は、本体１の固定穴５の内壁の穴に固定されています。
【００３６】
バックルカバー７は力のない状況で、トーションスプリング９１はバックル７を水平に塞がれたままにすることができます。
【００３７】
腕立て伏せ用のフレーム２が固定穴５に挿入されると、押し上げ支持フレーム２がバックルカバー７を下方に押圧し、バックルカバー７がバックルカバー７を非押圧力で押圧し、トーションスプリング９１が変形し、両端の鋼線９２が密着して、バックルカバー７がヒンジシャフト８の軸心回りに下方に回動し、固定穴５の内壁が腕立て伏せ用のフレーム２に押し付けられながら開き、押し上げ支持フレーム２を取り外すと、トーションスプリング９１のバネ力によりバックルカバー７が自動的にシール状態に復帰し、バックルカバー7 が使い易くなります。
【００３８】
図５に示すように、各固定穴５は本体１の中心短軸を中心にして本体１の上端面に配置され、各レセプタクル５は本体１の中心短軸に対して対称に配置され、固定穴５は本体１の中心長軸の一方の側に位置する複数の基準固定穴５と、本体１の中心長軸の他方の側に位置する複数の選択固定穴５と、少なくとも１つの基準固定穴５と、対応するセット固定穴５ および挿入固定穴５の中心線は、本体１の中心短軸に対して平行または傾斜して配置されている。
【００３９】
各グリップ２１の二つの端の足、または二つのロッド２３を基準固定穴５及びプラグ固定穴５にそれぞれ挿入することができます。好ましくは、本体１の中央短辺側に設けられた挿入固定穴５における少なくとも1 組の基準固定穴５と挿入固定穴５との間に別の挿入固定穴５が設けられ、レセプタクル５と挿入固定穴５との間隔は基準固定穴５とバイパス固定穴５との間のピッチと同じであり、基準固定穴５と隣接する選択固定穴５中心線接続は、本体１の中心短軸に対して配置されており、選択された挿入固定穴５の数は１つ以上であり、隣接するグループ間の隣接する選択固定穴５は、異なるグループの基準固定穴５と隣接する挿入固定穴５とを結ぶ中心線の傾斜角度は、本体1 の中心短軸と同じでも異なっていてもよい。
【００４０】
好ましい実施形態として、基準固定穴５の数は６であり、挿入固定穴５の数は８であり、その中に、対応する基準固定穴５および１番挿入固定穴５の中心線は、本体１の中心短軸と平行に配置され、オプションの挿入穴５は設けられていません。基準固定穴５と２番挿入固定穴５との対応するセットの中心線は、本体の中心短軸と平行に配置されています。
【００４１】
３番基準ソケット５の中心と４番第５固定穴５の主軸１の中心との中心線の組合わせに対応して設定されています。基準固定穴５及び選択固定穴５は、本体１の中心軸に対して対称に配置されているので、残りの基準固定穴５番は基準固定穴５であり、挿入固定穴５、６番選択固定穴５、固定穴５の７番、８番、固定穴５のディストリビューションについて詳しくは説明しません。
【００４２】
腕立て伏せ用のフレーム２は、異なるグループの基準固定穴5と挿入固定穴５との間に配置されることで、２つの腕立て伏せ用のフレーム２の間のピッチ及び傾斜角を広範囲の用途に合わせて調整することができます。
【実施例２】
【００４３】
本実施例の構造、原理、実施段階は、実施例１と同様であるが、異なるところは図６に示すように、腕立て伏せ用のフレーム２は２つの間隔設定があり、各腕立て伏せ用のフレーム２は１組のジャッキ５に対応でき、固定穴５は２〜８のグループがあり、ジャッキ５は順番に並んでいます。
【００４４】
各グリップ２１のロッド２３は同じ組のジャッキ５と嵌合することができます。および/または各グリップ２１の二つのサポートブリック２２は同じ組の固定穴５と嵌合することができます。
【００４５】
各組の固定穴５の数は２であり、各グリップ２１の二つのサポートブリック２２または両方のロッド２３は、１組のレセプタクル５に対応することができる。腕立て伏せ用のフレーム２は、広範囲の人々のために２つの腕立て伏せ用のフレーム２の間の間隔を調整するために異なる組の固定穴５を選択的に挿入することができます。
【００４６】
図６に示すように、グリップ２１の下端面には複数の連続凹部３があり、固定穴５のポートにはそれぞれの閉塞６が設けられており、閉塞６とロッド２３および/またサポートブリック２２は、交互に対応する固定穴５に挿入され、ロッド２３には制限保持リング４が設けられており、固定穴５の内壁には段差が設けられ、リミットボスが設けられており、ロッド２３が固定穴５に挿入されると制限保持リング４がストッパステージ上に挿入されます。制限保持リング４はリミットボス４に影響を与え、ロッド２３の挿入が深すぎることを防止することができます。
【００４７】
理解すべきなのは、実用新案の権利要求書および明細書において、「含んでいる...」というすべての語は、オープンな意味として理解されるべきであり、すなわち、その意味は「少なくとも...」と同等であり、密閉式の意味として理解されるべきできではなく、その意味は「〜のみを含む...」と理解されるべきではありません。
【００４８】
本文に記載される具体的な実施例は、実用新案の精神についての単なるの例示である。考案の技術領域の技術者は、説明された具体的な実施例を様々な変更または補完または代替的に置き換えることができるが、本考案の実用新案の精神を逸脱したり、添付した実用新案請求の範囲を超えて定義される範囲を逸脱することはありません。
【図１】
0003226671.tif 000003
【図２】
0003226671.tif 000004
【図３】
0003226671.tif 000005
【図４】
0003226671.tif 000006
【図５】
0003226671.tif 000007
【図６】
0003226671.tif 000008